(57)【要約】      （修正有）【課題】別部材を利用することなく防振具の劣化の進行を抑制できる上に、回収時の運搬性を向上することができる防振具付きパレットおよびこれに用いられるパレット本体を提供する。【解決手段】複数の分割体２１，２２，３１，３２に分割可能なパレット本体１と、複数の分割体２１，２２，３１，３２の各々の上面に少なくとも１つ取り付けられ、載置物７を支持可能に構成された複数の防振具５とを備える。複数の分割体２１，２２，３１，３２の各々には、他の分割体に対して上面同士が対向するように重ねられると、他の分割体に取り付けられた防振具５が収容される収容凹所４７が設けられる。【選択図】図１
2018111525.tif 000002
【特許請求の範囲】
【請求項１】
複数の分割体に分割可能なパレット本体と、
前記複数の分割体の各々の上面に少なくとも１つ取り付けられ、載置物を支持可能に構成された複数の防振具と
を備え、
前記複数の分割体の各々には、他の分割体に対して上面同士が対向するように重ねられると、前記他の分割体に取り付けられた前記防振具が収容される収容凹所が設けられている
ことを特徴とする防振具付きパレット。
【請求項２】
前記複数の防振具に対し取り外し可能に掛け渡され、前記載置物を載置可能な支持体をさらに備えている
ことを特徴とする請求項１記載の防振具付きパレット。
【請求項３】
前記パレット本体は、
前記複数の分割体としての第一分割体および第二分割体を有する第一パレットと、
前記複数の分割体としての第三分割体および第四分割体を有する第二パレットと
を有し、
前記第一分割体と前記第三分割体との上面同士が対向するように重ねられて第１の重合体を形成可能であると共に、前記第二分割体と前記第四分割体との上面同士が対向するように重ねられて第２の重合体を形成可能に構成されており、
前記第１の重合体と前記第２の重合体とが、互いに連結可能に構成されている
ことを特徴とする請求項１または請求項２に記載の防振具付きパレット。
【請求項４】
前記複数の分割体の各々には、他の分割体に対して上面同士が対向するように重ねられた状態で、前記上面に沿った移動を規制する移動規制部が設けられている
ことを特徴とする請求項１〜３のいずれか一項に記載の防振具付きパレット。
【請求項５】
前記移動規制部は、前記防振具の外形に沿った形状に形成された前記収容凹所により構成されている
ことを特徴とする請求項４記載の防振具付きパレット。
【請求項６】
請求項１〜５のいずれか一項に記載の防振具付きパレットに用いられるパレット本体であって、
複数の分割体に分割可能に構成され、
前記複数の分割体の各々に前記収容凹所が設けられている
ことを特徴とするパレット本体。
【発明の詳細な説明】
【技術分野】
【０００１】
本発明は、防振具付きパレットおよびこれに用いられるパレット本体に関する。
【背景技術】
【０００２】
特許文献１には、従来の防振具付きパレットが開示されている。特許文献１記載の防振具付きパレットは、トラックの荷台等に載置される下部プレートと、下部プレート上に取り付けられた複数の衝撃振動吸収体（以下、防振具という）と、複数の防振具上に取り付けられた上部プレートとを備えている。
【０００３】
防振具は、例えば、ゴム板が積層された弾性部を有している。これにより、上部プレートに載置された物品に対し、運搬時の衝撃が伝導するのを抑制することができる。
【先行技術文献】
【特許文献】
【０００４】
【特許文献１】特開平１０−２１８１８２号公報
【発明の概要】
【発明が解決しようとする課題】
【０００５】
ところで、この種のパレットは、目的地に物品を搬送した後、分解されて廃棄されるのが一般的であるが、近年、コストや分解の手間を考慮して再利用の要請もある。
【０００６】
しかしながら、防振具は、ゴムなどの弾性部を有しており、例えば、目的地に搬送した後に、屋外等に放置されると、直射日光や紫外線等によって劣化が進む場合がある。防振具の弾性部に劣化が生じると、再利用したときに運搬時の衝撃の緩衝が不十分になる可能性がある。
【０００７】
一方、防振具の弾性部を保護するために、保護用のカバーを別途設けることも考えられるが、保護用のカバーを別途用意することは、コストが嵩む上に準備の手間が掛かり、再利用をするメリットが得られにくい。
【０００８】
また、従来の防振具付きパレットは、下部プレートに対して複数の防振具が突出し、防振具の上に上部プレートが支持された構造をしている。このため、防振具付きパレットをトラックの荷台に積載した際には、上部プレートと下部プレートとの間の防振具の高さ分のスペースが無駄になり、回収時の運搬性がよくないという問題もある。
【０００９】
本発明は、上記事情に鑑みてなされたものであり、その目的とするところは、別部材を利用することなく防振具の劣化の進行を抑制できる上に、回収時の運搬性を向上することができる防振具付きパレットおよびこれに用いられるパレット本体を提供することにある。
【課題を解決するための手段】
【００１０】
本発明の防振具付きパレットは、複数の分割体に分割可能なパレット本体と、前記複数の分割体の各々の上面に少なくとも１つ取り付けられ、載置物を支持可能に構成された複数の防振具とを備え、前記複数の分割体の各々には、他の分割体に対して上面同士が対向するように重ねられると、前記他の分割体に取り付けられた前記防振具が収容される収容凹所が設けられていることを特徴とする。
【００１１】
この構成によれば、一対の分割体を上面同士が対向するように重ねると、防振具が収容凹所に収容されるため、防振具が収容凹所によって覆われ、直射日光や紫外線等が照射されるのを抑制できる。また、防振具が収容凹所に収まるため、防振具により生じる無駄なスペースが生じにくい。この結果、別部材を利用することなく防振具の劣化の進行を抑制できる上に、回収時の運搬性を向上することができる。
【００１２】
また、この防振具付きパレットにおいて、前記複数の防振具に対し取り外し可能に掛け渡され、前記載置物を載置可能な支持体をさらに備えていることが好ましい。
【００１３】
この構成によれば、防振具に掛け渡された支持体の上に載置物を載置できるため、防振具が載置物の直ぐ下方に位置する必要がなく、多種類のサイズの載置物を搬送することができる。
【００１４】
また、この防振具付きパレットにおいて、前記パレット本体は、前記複数の分割体としての第一分割体および第二分割体を有する第一パレットと、前記複数の分割体としての第三分割体および第四分割体を有する第二パレットとを有し、前記第一分割体と前記第三分割体との上面同士が対向するように重ねられて第１の重合体を形成可能であると共に、前記第二分割体と前記第四分割体との上面同士が対向するように重ねられて第２の重合体を形成可能に構成されており、前記第１の重合体と前記第２の重合体とが、互いに連結可能に構成されていることが好ましい。
【００１５】
この構成によれば、防振具付きパレットを回収する際に、第１の重合体と第２の重合体とをセットにすることができて、再び、防振具付きパレットを組み立てる際に作業性がよい。
【００１６】
また、この防振具付きパレットにおいて、前記複数の分割体の各々には、他の分割体に対して上面同士が対向するように重ねられた状態で、前記上面に沿った移動を規制する移動規制部が設けられていることが好ましい。
【００１７】
この構成によれば、防振具付きパレットを回収する際に、分割体同士がガタついて、防振具が破損するのを防止できる。
【００１８】
また、この防振具付きパレットにおいて、前記移動規制部は、前記防振具の外形に沿った形状に形成された前記収容凹所により構成されていることが好ましい。
【００１９】
この構成によれば、収容凹所の構成を設けるだけで、防振具を直射日光や紫外線から保護できる上に、回収時の破損も防止できる。
【００２０】
また、本発明のパレット本体は、上記防振具付きパレットに用いられるパレット本体であって、複数の分割体に分割可能に構成され、前記複数の分割体の各々に前記収容凹所が設けられていることを特徴とする。
【００２１】
この構成によれば、収容凹所を形成したパレット本体に防振具を取り付け、防振具付きパレットを構成すれば、別部材を利用することなく防振具の劣化の進行を抑制できる上に、回収時の運搬性を向上することができる。
【発明の効果】
【００２２】
本発明の防振具付きパレットおよびこれに用いられるパレット本体によれば、別部材を利用することなく防振具の劣化の進行を抑制できる上に、回収時の運搬性を向上することができる。
【図面の簡単な説明】
【００２３】
【図１】本発明の一実施形態の防振具付きパレットの斜視図である。
【図２】同上の第一分割体と第二分割体との分解斜視図である。
【図３】同上の第一分割体および第三分割体、第二分割体および第四分割体を、回収時において重ね合わせる直前の状態を説明する正面図である。
【図４】同上の第１の重合体と第２の重合体とを連結した状態の正面図である。
【図５】同上の防振具付きパレットの使用状態の正面図である。
【発明を実施するための形態】
【００２４】
以下、本発明の実施形態について添付図面に基づいて説明する。
【００２５】
本実施形態の防振具付きパレットは、工場等の出発地から作業現場等の目的地に載置物７を搬送した後、載置物７が無い状態で目的地から出発地に搬送され（回収され）、再び載置物７の搬送に利用される。本実施形態の防振具付きパレットは、載置物７として燃料電池ユニット７ａを搬送するために用いられる。燃料電池ユニット７ａは、例えば、改質器がセラミック製の部品を有しており、破損しやすい構造であるため、防振具付きパレットでの搬送が好適である。
【００２６】
防振具付きパレットは、図１に示すように、パレット本体１と、パレット本体１上に取り付けられた複数の防振具５と、複数の防振具５に掛け渡された支持体６とを備えている。
【００２７】
パレット本体１は、防振具付きパレットの主体を構成する。パレット本体１は、合成樹脂により樹脂成型されている。本実施形態のパレット本体１は、第一パレット２と、第二パレット３とを備えており、第一パレット２と第二パレット３とは、互いに連結されていない状態で離れている。
【００２８】
以下、第一パレット２と第二パレット３とが並ぶ方向を前後方向とし、第一パレット２（第二パレット３）が延びる方向を左右方向として定義する。また、第一パレット２と第二パレット３は、同じ構造であるため、パレット本体１の説明については、主に、第一パレット２について説明し、重複する説明は省略する。
【００２９】
第一パレット２は、複数の分割体として、第一分割体２１と、第二分割体２２とを備えており、複数の分割体２１，２２に分割可能に構成されている。なお、第二パレット３も、第一パレット２と同じ構造であるが、第一分割体２１に対応する部材を第三分割体３１と定義し、第二分割体２２に対応する部材を第四分割体３２と定義する。つまり、第三分割体３１は、第一分割体２１と同じ構造であり、第四分割体３２は第二分割体２２と同じ構造である。
【００３０】
第一分割体２１は、左右方向に延びた矩形箱状の本体部４１により主体が構成されている。本体部４１の中央部でかつ上下方向の中央部には、フォーク挿入部４２が形成されている。フォーク挿入部４２は、本体部４１を前後方向に貫通しており、運搬作業の際に用いられるフォークリフトのツメが挿通可能に構成されている。
【００３１】
第二分割体２２も、左右方向に延びた矩形箱状の本体部４１により主体が構成されている。本体部４１の中央部でかつ上下方向の中央部には、同様に、フォーク挿入部４２が形成されている。
【００３２】
第一分割体２１は、本体部４１の左右方向の両端面に形成された一対の係止部４３を有している。各係止部４３は、本体部４１の左右方向の端面から突出するように形成された嵌合凸部４３ａにより構成されている。嵌合凸部４３ａは、突出方向の先端側に位置するほど、前後方向の幅が広くなるように形成されている。嵌合凸部４３ａは、本体部４１の上下方向の全長にわたって形成されており、上下方向に一様な断面に形成されている。
【００３３】
第二分割体２２は、本体部４１の左右方向の両端面に、係止部４３に係合する一対の被係止部４４が形成されている。図２に示すように、被係止部４４は、本体部４１の左右方向の端面から凹没するように形成された嵌合凹部４４ａにより構成されている。嵌合凹部４４ａは、深さ方向の奥側に位置するほど、前後方向の幅が広くなるように形成されている。嵌合凹部４４ａは、本体部４１の上下方向の全長にわたって形成されており、上下方向に一様な断面に形成されている。嵌合凹部４４ａは、嵌合凸部４３ａが上下方向に沿うように差し込まれることで、嵌合凸部４３ａに対する前後方向および左右方向への相対的な移動を規制することができる。
【００３４】
第一分割体２１および第二分割体２２の各々には、図１に示すように、収容凹所４７が形成されている。第一分割体２１の収容凹所４７は、第二分割体２２側の端部の上面に形成されている。また、第二分割体２２の収容凹所４７は、第一分割体２１側の端部の上面に形成されている。
【００３５】
各収容凹所４７は、図３に示すように、防振具５よりも大きく形成されており、防振具５を収容可能に構成される。第一分割体２１に形成された収容凹所４７は、例えば、第二分割体２２に対して上面４９同士が対向するように重ねられると、第二分割体２２に取り付けられた防振具５が収容されるように構成されている。このとき、一対の分割体２１，２２の上面４９同士は、面状に接触する。
【００３６】
本実施形態の第一分割体２１は、上記の通り、第二分割体２２と上下方向に重ねることも可能であるが、同じ構造である第三分割体３１と重ねることが好ましい。また、第二分割体２２は、同じ構造である第四分割体３２と重ねることが好ましい。
【００３７】
これにより、図４に示すように、第一分割体２１と第三分割体３１とを重ね（第一分割体２１と前記第三分割体３１とを重ねた組を第１の重合体４５という）、第二分割体２２と第四分割体３２とを重ねる（第二分割体２２と第四分割体３２とを重ねた組を第２の重合体４６という）ことで、係止部４３が第１の重合体４５の上下方向の全長にわたって連続し、被係止部４４が第２の重合体４６の上下方向の全長にわたって連続する。したがって、第１の重合体４５と第２の重合体４６とを、係止部４３および被係止部４４を介して互いに連結することができる。
【００３８】
また、本実施形態の防振具付きパレットは、一対の分割体の上面同士が重なった状態で、互いの分割体の上面に沿った移動を規制する移動規制部４８を有している。これによって、分割体同士を重ね合わせたときに、互いにずれるのを防止できるため、例えば、重ね合わせた状態での搬送中において、分割体同士がガタついて、防振具５が破損したり劣化したりするのを抑制することができる。
【００３９】
本実施形態の移動規制部４８は、収容凹所４７により構成される。収容凹所４７は、防振具５が収容された状態において防振具５を囲むように構成された内周面４７１を有している。この内周面４７１は、防振具５が収容された状態において、防振具５の外面に近接対向している。これにより、収容凹所４７に防振具５が収容されると、収容凹所４７と防振具５は互いに位置決めされ、一対の分割体の上面に沿った相対的な移動が規制される。
【００４０】
防振具５は、図１に示すように、各分割体２１，２２，３１，３２に少なくとも１つ取り付けられている。本実施形態の防振具付きパレットは、複数の防振具５を備えており、複数の防振具５は、複数の分割体２１，２２，３１，３２に対して１対１で取り付けられている。各防振具５は、分割体２１，２２，３１，３２の連結された側とは反対側の端部（外側の端部）の上面に取り付けられている。
【００４１】
防振具５は、分割体２１，２２，３１，３２の上面４９に固定される固定板部５１と、固定板部５１の上部に固定された弾性部５２と、弾性部５２の上部に固定された保持部５３とを備えている。弾性部５２は、例えば、中実円柱状のゴムにより構成されている。保持部５３は、弾性部５２に固定された円板部５４と、円板部５４から上方に突出したボルト部５５とを備えている。
【００４２】
一対の防振具５は、載置物７を支持可能に構成されている。ここで、載置物７を支持する保持部５３は、固定板部５１に対して弾性部５２を介して接続されているため、固定板部５１に固定されたパレット本体１が振動した場合であっても、載置物７に振動が伝わるのを抑制できる。
【００４３】
第一パレット２において、第一分割体２１の防振具５と、第二分割体２２の防振具５との間には、支持体６が架け渡されている。また、第二パレット３において、第三分割体３１の防振具５と、第四分割体３２の防振具５との間にも、支持体６が架け渡されている。各支持体６には、載置物７が載置されるように構成されており、各支持体６により載置物７を支持することができる。各支持体６は、防振具５のボルト部５５によって取り外し可能に固定される。支持体６は、左右方向に延びており、例えば、Ｃ型鋼により構成される。
【００４４】
このような構成の防振具付きパレットは、図５に示すように、例えば、製造工場で製造された燃料電池ユニット７ａを支持体６上に載置し、梱包材８にて梱包した後、搬送先である作業現場に搬送される。作業現場に搬送後、燃料電池ユニット７ａを防振具付きパレットから降ろす。
【００４５】
燃料電池ユニット７ａが降ろされた防振具付きパレットは、運搬に適した状態に分解される。作業者は、支持体６を防振具５から取り外し、第一分割体２１と第二分割体２２とを分解すると共に、第三分割体３１と第四分割体３２とを分割する。
【００４６】
次いで、作業者は、第一分割体２１と第三分割体３１とを、上面同士が対向するように重ね合わせると共に、第二分割体２２と第四分割体３２とを上面同士が対向するように重ね合わせる（図３参照）。このとき、一方の分割体に取り付けられた防振具５は、他方の収容凹所４７に収容される（図４参照）。この状態において、防振具５は、収容凹所４７の内周面４７１に覆われているため、屋外に放置されたとしても、直射日光や紫外線が照射されない。
【００４７】
次いで、作業者は、重ね合わされた分割体を、トラックの荷台等に積載し、製造工場等に持ち帰る。このとき、防振具５が収容凹所４７に収容された状態で、分割体同士が上下方向にぴったりと積み上げられているため、無駄なスペースがなく、搬送性も良好である。その上、本実施形態のパレット本体１は、合成樹脂により構成されているため、従来のように木製のパレットに比べて軽く、より多く搬送することができる。
【００４８】
工場に持ち帰られた防振具付きパレットは、第一分割体２１の係止部４３と第二分割体２２の被係止部４４とを連結し、支持体６を取り付けることで、載置物７を載置して搬送可能な状態にすることができる。
【００４９】
〔応用〕
上記実施形態の載置物７は、燃料電池ユニット７ａであったが、例えば、エアコンや浴室乾燥機等の電気機器であってもよく、載置物７は特に限定されない。
【００５０】
収容凹所４７の内周面４７１は、防振具５の位置決めとなるように、防振具５の外形に沿った形状に形成されていたが、防振具５が収まるように形成されていればよく、移動規制部４８を構成する例に限定されない。
【００５１】
上記実施形態の移動規制部４８は、防振具５の外形に沿った内周面４７１を有する収容凹所４７で構成されたが、一方の分割体の突起と、他方の分割体の凹部との組み合わせで移動規制を行ってもよく、移動規制部４８は上記実施形態に限定されない。
【００５２】
上記実施形態の防振具付きパレットは、１つのパレット本体１において、重ね合わせて回収するように構成されていたが、例えば、２つ以上のパレット本体１を用いて、各分割体を互いに重ね合わせた状態で回収してもよい。また、上記実施形態は、１つの防振具付きパレットが合計４つの分割体を含んでいたが、２つの分割体で構成されてもよく、上記実施形態に限定されない。
【００５３】
上記実施形態の係止部４３および被係止部４４は、略台形状の嵌合凸部４３ａと嵌合凹部４４ａにより構成されたが、その形状は特に限定されない。また、係止部４３および被係止部４４は、特に設けられなくてもよい。例えば、係止部４３および被係止部４４に代えて、面ファスナーなどで相互に連結されてもよい。もちろん、この場合、第１の重合体４５と第２の重合体４６との連結も面ファスナーにより行われる。
【００５４】
上記実施形態の防振具付きパレットは、一対の防振具５に架け渡すように支持体６が取り付けられたが、防振具５で直接載置物７を支持してもよい。つまり、支持体６は無くてもよい。
【００５５】
その他、上記実施形態の構成は、本発明の主旨を逸脱しない範囲であれば、適宜設計変更を行うことができる。
【符号の説明】
【００５６】
１      パレット本体
２      第一パレット
２１    第一分割体
２２    第二分割体
３      第二パレット
３１    第三分割体
３２    第四分割体
４５    第１の重合体
４６    第２の重合体
４７    収容凹所
４８    移動規制部
５      防振具
６      支持体
７      載置物
【図１】
2018111525.tif 000003
【図２】
2018111525.tif 000004
【図３】
2018111525.tif 000005
【図４】
2018111525.tif 000006
【図５】
2018111525.tif 000007